(57)【要約】【課題】多孔質部材の通気性を向上させることで、水垢汚れの発生を抑制でき、メンテナンス頻度を減少できる手乾燥装置を提供する。【解決手段】水受け部１０には、受けた水を一時的に貯留しておくための水受けカップ１１と、水を水受けカップ１１へと誘導する排水穴１３を設け、水受けカップ１１の中には多孔質部材２０が配置され、多孔質部材２０が配置される範囲において水受けカップ１１の内部底面３４の一部に凸形状の第１凸部２１を設けた。【選択図】図１
2016150195.tif 000002
【特許請求の範囲】
【請求項１】
外部に向かって開口した手挿入口から手を抜き差しする手乾燥室と、
高圧空気を送出する電動送風機と、
前記電動送風機が送出した前記高圧空気を前記手乾燥室に向けて送出するノズルと、
前記ノズルから送出された前記高圧空気によって吹き飛ばされた水を受ける水受け部を備えた手乾燥装置であって、
前記水受け部には、受けた水を一時的に貯留しておくための水受けカップと、水を水受けカップへと誘導する排水穴を設け、
前記水受けカップの中には多孔質部材が配置され、
前記多孔質部材が配置される範囲において前記水受けカップの内部底面の一部に凸形状の第１凸部を設けたことを特徴とする手乾燥装置。
【請求項２】
前記第１凸部を、前記水受けカップの前面に平行で、且つ前記水受けカップの側面方向に伸びた形として設けたことを特徴とする請求項１に記載の手乾燥装置。
【請求項３】
前記水受けカップの外部底面に、前記第１凸部の形状に合わせた凹部を設けたことを特徴とする請求項１または２に記載の手乾燥装置。
【請求項４】
前記水受けカップの前面から前記第１凸部までの距離を、
前記水受けカップの背面から前記第１凸部までの距離よりも短くしたことを特徴とする請求項１から３のいずれか１項に記載の手乾燥装置。
【請求項５】
前記多孔質部材が配置される範囲において、前記水受けカップの内部底面の周縁を含む領域に、高さが前記第１凸部よりも低い第２凸部を設けたことを特徴とする請求項１から４のいずれか１項に記載の手乾燥装置。
【請求項６】
前記手乾燥装置は片面送出形の手乾燥装置であって、
前記第１凸部を、前記排水穴の位置から手挿入方向に前後５０ｍｍ以内の範囲に設けたことを特徴とする請求項１から５のいずれか１項に記載の手乾燥装置。
【請求項７】
前記水受けカップを覆う水受けカップカバーを設けたことを特徴とする請求項１から６のいずれか１項に記載の手乾燥装置。
【請求項８】
前記多孔質部材を吸音材または吸水材としたことを特徴とする請求項１から７のいずれか１項に記載の手乾燥装置。
【発明の詳細な説明】
【技術分野】
【０００１】
本発明は、水洗い等で濡れた手を乾燥させるために、洗面所やトイレ、キッチン等で使用する手乾燥装置に関するものである。
【背景技術】
【０００２】
手乾燥装置は、ノズルから手乾燥室内に送出される吹き出し気流によって、両手に付着した水滴を吹き飛ばして手を乾燥させる。このとき、吹き飛ばした水滴が壁面や床面へ飛散することを抑制する目的から、水受け部を設けたものが知られている。（例えば、特許文献１参照）。
【０００３】
以下、その従来例について図９を参照しながら説明する。
【０００４】
図９に示すように、従来の手乾燥装置は、洗面所の壁面１０１などに取り付けられ、手乾燥室１０２と、電動送風機１０３と、ノズル１０４と、水受け部１１０とを有している。手乾燥室１０２は外部に向かって開口しており、開口から手１０８を挿入する構成である。電動送風機１０３は高圧空気を送出し、ノズル１０４から手乾燥室１０２へ吹き出し気流１０６を吹き出す。手１０８に付着した水滴１０９は吹き出し気流１０６によって吹き飛ばされ、水受け部１１０から水受けカップ１１１に貯留される。水受けカップ１１１には、乱流騒音を消音する目的や貯留水を吸水する目的のため、多孔質部材１０７が設けられている。
【先行技術文献】
【特許文献】
【０００５】
【特許文献１】特開２０１０−１５５０５０号公報
【発明の概要】
【発明が解決しようとする課題】
【０００６】
このような従来の手乾燥装置に設けられる水受けカップの形状では、多孔質部材が水受けカップ底面に密着する。そのため、多孔質部材が貯留水を吸水した際に水分が蒸発しにくく、水垢汚れが発生しやすいという課題があった。
【０００７】
本発明は、このような従来の課題を解決するものであり、水受けカップ内部底面の一部を凸形状とすることで、多孔質部材が水受けカップ底面に密着することを防ぐことにより、多孔質部材の通気性が向上し、多孔質部材に含まれる水分が蒸発しやすくなるため、水垢汚れが発生しにくく、メンテナンス頻度を減らすことができる。
【課題を解決するための手段】
【０００８】
本発明の一態様に係る手乾燥装置は、外部に向かって開口した手挿入口から手を抜き差しする手乾燥室と、高圧空気を送出する電動送風機と、前記電動送風機が送出した前記高圧空気を前記手乾燥室に向けて送出するノズルと、前記ノズルから送出された前記高圧空気によって吹き飛ばされた水を受ける水受け部を備えた手乾燥装置であって、前記水受け部には、受けた水を一時的に貯留しておくための水受けカップと、水を水受けカップへと誘導する排水穴を設け、前記水受けカップの中には多孔質部材が配置され、前記多孔質部材が配置される範囲において前記水受けカップの内部底面の一部に凸形状の第１凸部を設けたものである。
【発明の効果】
【０００９】
本発明によれば、第１凸部の高さ分多孔質部材を浮かせ、多孔質部材の水受けカップ内部底面への密着を防ぐことにより、多孔質部材の通気性が向上し、多孔質部材に含まれる水分が蒸発しやすくなるという作用を有するので、水垢汚れの発生を抑制でき、メンテナンス頻度を減少できるという効果のある手乾燥装置を提供することができる。
【図面の簡単な説明】
【００１０】
【図１】本発明の実施の形態１の手乾燥装置の側面断面図
【図２】同手乾燥装置の水受けカップの平面図
【図３】本発明の実施の形態２の手乾燥装置の側面断面図
【図４】同手乾燥装置の水受けカップの平面図
【図５】本発明の実施の形態３の手乾燥装置の側面断面図
【図６】同手乾燥装置の水受けカップの平面図
【図７】本発明の実施の形態４の手乾燥装置の側面断面図
【図８】同手乾燥装置の水受けカップの平面図
【図９】従来の手乾燥装置の側面断面図
【発明を実施するための形態】
【００１１】
本発明の一態様に係る手乾燥装置は、外部に向かって開口した手挿入口から手を抜き差しする手乾燥室と、高圧空気を送出する電動送風機と、前記電動送風機が送出した前記高圧空気を前記手乾燥室に向けて送出するノズルと、前記ノズルから送出された前記高圧空気によって吹き飛ばされた水を受ける水受け部を備えた手乾燥装置であって、前記水受け部には、受けた水を一時的に貯留しておくための水受けカップと、水を水受けカップへと誘導する排水穴を設け、前記水受けカップの中には多孔質部材が配置され、前記多孔質部材が配置される範囲において前記水受けカップの内部底面の一部に凸形状の第１凸部を設けたことを特徴としたものであり、第１凸部の高さ分多孔質部材を浮かせ、多孔質部材の水受けカップ内部底面への密着を防ぐことにより、多孔質部材の通気性が向上し、多孔質部材に含まれる水分が蒸発しやすくなるという作用を有するので、水垢汚れの発生を抑制でき、メンテナンス頻度を減少できるという効果を奏する。
【００１２】
また、前記第１凸部を、前記水受けカップの前面に平行で、且つ前記水受けカップの側面方向に伸びた形として設けてもよい。水受けカップは、水容量確保の目的から側面方向に広い形状であることが好ましいため、第１凸部を水受けカップの側面方向に伸びた形にしたことで、多孔質部材の内部底面への密着を防ぐ範囲を広くとることができ、多孔質部材に含まれる水分がより蒸発しやすくなるという作用を有するので、水垢汚れの発生を抑制でき、メンテナンス頻度を減少できるという効果を奏する。
【００１３】
また、前記水受けカップの外部底面に、前記第１凸部の形状に合わせた凹部を設けてもよい。
【００１４】
この構成によれば、多孔質部材の水受けカップ内部底面への密着を防ぐとともに、水受けカップを手乾燥装置本体から着脱する際に凹部が取っ手の役割を果たす。また、第１凸部と凹部を同一形状とすれば、別部品が不要な一体成型として簡易な構成にできるという作用を有するので、メンテナンス時に、水受けカップの手乾燥装置本体からの着脱性を向上できる。また、簡易な構成で材料費を抑制しつつ、汚れの堆積部分も少なくできるという効果を奏する。
【００１５】
また、前記水受けカップの前面から前記第１凸部までの距離を、前記水受けカップの背面から前記第１凸部までの距離よりも短くしてもよい。
【００１６】
この構成によれば、多孔質部材が水を含んだ際の重心位置が、水受けカップ背面側となるため、水受けカップ引き出し時に引き出し方向に対して後ろに傾斜し、安定するという作用を有するので、メンテナンス時に、水受けカップの手乾燥装置本体からの着脱性を向上できるという効果を奏する。
【００１７】
また、前記多孔質部材が配置される範囲において、前記水受けカップの内部底面の周縁を含む領域に、高さが前記第１凸部よりも低い第２凸部を設けてもよい。
【００１８】
この構成によれば、第２凸部を第１凸部よりも低い高さとし、水受けカップ内部底面の周縁に配置したことで、多孔質部材が密着する範囲をさらに減少することができるという作用を有するので、水垢汚れの発生を抑制でき、メンテナンス頻度を減少できるという効果を奏する。
【００１９】
また、前記第１凸部を、前記排水穴の位置から手挿入方向に前後５０ｍｍ以内の範囲に設けてもよい。
【００２０】
この構成によれば、第１凸部近傍では多孔質部材が水受けカップ内部底面から離れており、通気性がよいため、排水穴から水が滴下する位置の近傍に第１凸部を設けることで、通気性のよい位置に水を滴下させることができるという作用を有するので、水垢汚れの発生を抑制でき、メンテナンス頻度を減少できるという効果を奏する。
【００２１】
また、前記水受けカップを覆う水受けカップカバーを設けてもよい。
【００２２】
この構成によれば、水受けカップを覆う構成としたことで、水受けカップ着脱時の水のこぼれを抑制できるという作用を有するので、メンテナンス時に、水受けカップの手乾燥装置本体からの着脱性を向上できるという効果を奏する。
【００２３】
また、前記多孔質部材を吸音材または吸水材としてもよい。
【００２４】
この構成によれば、騒音を減少または吸水性を向上できるという効果を奏する。
【００２５】
以下、本発明の実施の形態について、図面を参照しながら説明する。
【００２６】
（実施の形態１）
本実施の形態による手乾燥装置は、図１に示すような、手６に対して片側から吹き出し気流５を送出する片面送出形の手乾燥装置とする。
【００２７】
図１に示すように、手乾燥装置は、外部に向かって開口した手乾燥室２と、手乾燥室２に向けて吹き出し気流５を送出するノズル４と、ノズル４へ高圧空気（０．５〜１５ｋＰａ）を送出する電動送風機３と、吹き出し気流５によって吹き飛ばされた水滴１８を受ける水受け部１０とを備え、手乾燥室２の上面には手６の挿入を検知するセンサ１７が設けられている。電動送風機３は本体ケース８の内部に設けられている。
【００２８】
この手乾燥装置は、洗面所の壁面１などに取り付けられ、正面に使用者が立ち、手乾燥室２に手６を挿入する。手洗い後の濡れた手６が手乾燥室２に挿入されると、センサ１７が挿入を検知し、電動送風機３が運転されノズル４へ高圧空気を送出し、ノズル４から送出される吹き出し気流５により、手６に付着した水滴１８を吹き飛ばす。
【００２９】
吹き飛ばされた水滴１８は水受け部１０に落下する。水受け部１０には、受けた水滴１８を一時的に貯留する水受けカップ１１と、水受けカップ１１へ水滴１８を誘導する排水穴１３が設けられており、水は排水穴１３から水受けカップ１１へと滴下する。水受けカップ１１の中には多孔質部材２０（例えば、スポンジなど）が配置されている。
【００３０】
ここで、多孔質部材２０が配置される範囲において、水受けカップ１１の内部底面３４の一部に凸形状の第１凸部２１が設けられている。第１凸部２１の高さは、水滴１８の高さ以上であるという観点から例えば５ｍｍ以上であることが好ましい。
【００３１】
上記構成により、第１凸部２１の高さ分多孔質部材２０を浮かせ、多孔質部材２０の水受けカップ１１内部底面３４への密着を防ぐことにより、多孔質部材２０の通気性が向上し、多孔質部材２０に含まれる水分が蒸発しやすくなり、水垢汚れの発生を抑制でき、メンテナンス頻度を減少できる。
【００３２】
また、第１凸部２１を、水受けカップ１１の前面３０に平行で、且つ水受けカップ１１の側面３２方向に伸びた形として設けることが好ましい。或いは、第１凸部２１は、図２に示すように、手の挿入方向７に対し直交し、側面３２の方向に伸びた形として設けてもよい。
【００３３】
上記構成により、多孔質部材２０の水受けカップ１１内部底面３４への密着を防ぐ範囲を広くとることができ、多孔質部材２０に含まれる水分がさらに蒸発しやすくなり、水垢汚れの発生を抑制でき、メンテナンス頻度を減少できる。なお、水受けカップ１１は、水容量確保の目的から手の挿入方向７に直交する方向に広い形状としてもよい。
【００３４】
また、第１凸部２１は、排水穴１３の位置から手の挿入方向７に前後５０ｍｍ以内の範囲に設けられていることが好ましい。
【００３５】
第１凸部２１の近傍では、多孔質部材２０が水受けカップ１１の内部底面３４から離れており、通気性がよい。したがって、上記構成とすることで、通気性のよい位置に水滴１８の滴下位置１４を配置することができる。
【００３６】
また、水受けカップ１１には水受けカップカバー１２が設けられていることが好ましい。
【００３７】
上記構成により、水受けカップ１１を覆う構成としたことで、水受けカップ１１着脱時の水のこぼれを抑制できるため、メンテナンス時に、水受けカップ１１の手乾燥装置本体からの着脱性を向上できる。
【００３８】
（実施の形態２）
本実施の形態による手乾燥装置は、図３に示すような、手６に対して両側（手の平側と手の甲側）から吹き出し気流５を送出する両面送出形の手乾燥装置とする。図３に示すように、外部に向かって開口した手乾燥室２と、手乾燥室２に向けて吹き出し気流５を送出するノズル４と、ノズル４へ高圧空気を送出する電動送風機３と、吹き出し気流５によって吹き飛ばされた水滴１８を浮ける水受け部１０とを備え、手乾燥室２の上面には手６の挿入を検知するセンサ１７が設けられている。
【００３９】
この手乾燥装置は、洗面所の壁面１などに取り付けられ、正面に使用者が立ち、手乾燥室２に手６を挿入する。手洗い後の濡れた手６が手乾燥室２に挿入されると、センサ１７が挿入を検知し、電動送風機３が運転されノズル４へ高圧空気を送出し、ノズル４から送出される吹き出し気流５により、手６に付着した水滴１８を吹き飛ばす。
【００４０】
吹き飛ばされた水滴１８は排水路１６を通り水受け部１０に落下する。水受け部１０には、受けた水滴１８を一時的に貯留する水受けカップ１１が設けられており、水滴１８は排水路１６から水受けカップ１１へと滴下する。水受けカップ１１の中には多孔質部材２０（例えば、スポンジなど）が配置されている。
【００４１】
ここで、多孔質部材２０が配置される範囲において、水受けカップ１１の内部底面３４の一部に凸形状の第１凸部２１が設けられている。第１凸部２１の高さは、水滴１８の高さ以上であるという観点から５ｍｍ以上であることが好ましい。
【００４２】
上記構成により、第１凸部２１の高さ分多孔質部材２０を浮かせ、多孔質部材２０の水受けカップ１１内部底面３４への密着を防ぐことにより、多孔質部材２０の通気性が向上し、多孔質部材２０に含まれる水分が蒸発しやすくなり、水垢汚れの発生を抑制でき、メンテナンス頻度を減少できる。
【００４３】
また、第１凸部２１は、図４に示すように、使用者が立つ側を前面３０としたときに前面３０に対して平行で、側面３２の方向に伸びた形として設けられていることが好ましい。
【００４４】
上記構成により、多孔質部材２０の水受けカップ１１内部底面３４への密着を防ぐ範囲を広くとることができ、多孔質部材２０に含まれる水分が蒸発しやすくなり、水垢汚れの発生を抑制でき、メンテナンス頻度を減少できる。なお、水受けカップ１１は、水容量確保の目的から側面３２の方向に広い形状としてもよい。
【００４５】
また、第１凸部２１は、排水穴１３の位置から手の挿入方向７に前後５０ｍｍ以内の範囲に設けられていることが好ましい。
【００４６】
第１凸部２１の近傍では、多孔質部材２０が水受けカップ１１の内部底面３４から離れており、通気性がよい。したがって、上記構成とすることで、通気性のよい位置に水滴１８の滴下位置１４を配置することができる。
【００４７】
また、水受けカップ１１には水受けカップカバー１２が設けられていることが好ましい。
【００４８】
上記構成により、水受けカップ１１を覆う構成としたことで、水受けカップ１１着脱時の水のこぼれを抑制できるため、メンテナンス時に、水受けカップ１１の手乾燥装置本体からの着脱性を向上できる。
【００４９】
（実施の形態３）
図５、６において、図１および図２と同様の構成要素については同一の符号を付し、その詳細な説明は省略する。
【００５０】
図５に示すような片面送出形の手乾燥装置において、水受けカップ１１の外部底面３５に、第１凸部２１の形状に合わせた凹部２３を設けた構成とする。
【００５１】
上記構成により、多孔質部材２０の水受けカップ１１内部底面３４への密着を防ぐとともに、水受けカップ１１を手乾燥装置本体から着脱する際に凹部２３が取っ手の役割を果たす。
【００５２】
また、第１凸部２１と凹部２３を同一形状とすれば、別部品が不要な一体成型として簡易な構成にできる。したがって、メンテナンス時に、水受けカップ１１の手乾燥装置本体からの着脱性を向上できるとともに、簡易な構成で材料費を抑制しつつ、汚れの堆積部分も少なくできる。
【００５３】
また、図６に示すように、水受けカップ１１の前面３０から第１凸部２１までの距離２１ａは、水受けカップ１１の背面３１から第１凸部２１までの距離２１ｂよりも短いことが好ましい。
【００５４】
上記構成により、多孔質部材２０が水を含んだ際の重心位置が、水受けカップ１１の背面３１側となるため、水受けカップ１１引き出し時に水受けカップ引き出し方向１５に対して後ろに傾斜し安定するため、メンテナンス時に、水受けカップ１１の手乾燥装置本体からの着脱性を向上できる。
【００５５】
また、多孔質部材２０が配置される範囲において、水受けカップ１１の内部底面３４の周縁３３を含む領域に、高さが第１凸部２１よりも低い第２凸部２２が設けられていることが好ましい。さらに、第２凸部２２は水受けカップ１１の内部底面３４の背面３１側の周縁３３を含む領域に設けられていることが好ましい。ここで、第１凸部２１よりも第２凸部２２を低くしたり、周縁３３を含む領域に第２凸部２２を設けたのは、第１凸部２１から第２凸部２２に向かって水滴１８を多孔質部材２０全体に誘導し、蒸発を促進する作用を考慮しているためである。
【００５６】
また、第２凸部２２は複数の凸形状に分割してもよい。内部底面３４に複数の段差を設けることで、密着する面積を減少するためである。
【００５７】
上記構成により、多孔質部材２０の、水受けカップ１１の内部底面３４への密着範囲をさらに減少することができるため、水垢汚れの発生を抑制でき、メンテナンス頻度を減少できる。
【００５８】
また、多孔質部材２０は、吸音材（例えば、ウレタンなど）であることが好ましい。
【００５９】
上記構成により、吹き出し気流５による乱流騒音を低減することができる。
【００６０】
また、多孔質部材２０は、吸水材（例えば、高吸水性樹脂など）であることが好ましい。
【００６１】
上記構成により、水滴１８の吸水性を向上することができる。
【００６２】
（実施の形態４）
図７、８において、図３および図４と同様の構成要素については同一の符号を付し、その詳細な説明は省略する。
【００６３】
図７に示すような両面送出形の手乾燥装置において、水受けカップ１１の外部底面３５に、第１凸部２１の形状に合わせた凹部２３を設けた構成とする。
【００６４】
上記構成により、多孔質部材２０の水受けカップ１１内部底面３４への密着を防ぐとともに、水受けカップ１１を手乾燥装置本体から着脱する際に凹部２３が取っ手の役割を果たす。また、第１凸部２１と凹部２３を同一形状とすることにより、別部品が不要な一体成型として簡易な構成にできる。したがって、メンテナンス時に、水受けカップ１１の手乾燥装置本体からの着脱性を向上できるとともに、簡易な構成で材料費を抑制しつつ、汚れの堆積部分も少なくできる。
【００６５】
また、図８に示すように、水受けカップ１１の前面３０から第１凸部２１までの距離２１ａは、水受けカップ１１の背面３１から第１凸部２１までの距離２１ｂよりも短いことが好ましい。
【００６６】
上記構成により、多孔質部材２０が水を含んだ際の重心位置が、水受けカップ１１の背面３１側となるため、水受けカップ１１引き出し時に水受けカップ引き出し方向１５に対して後ろに傾斜し安定するため、メンテナンス時に、水受けカップ１１の手乾燥装置本体からの着脱性を向上できる。
【００６７】
また、多孔質部材２０が配置される範囲において、水受けカップ１１の内部底面３４の周縁３３を含む領域に、高さが第１凸部２１よりも低い第２凸部２２が設けられていることが好ましい。さらに、第２凸部２２は水受けカップ１１の内部底面３４の背面３１側の周縁３３を含む領域に設けられていることが好ましい。ここで、第１凸部２１よりも第２凸部２２を低くしたり、周縁３３を含む領域に第２凸部２２を設けたのは、第１凸部２１から第２凸部２２に向かって水滴１８を誘導する作用を考慮しているためである。
【００６８】
また、第２凸部２２は複数の凸形状に分割してもよい。内部底面３４に複数の段差を設けることで、密着する面積を減少するためである。
【００６９】
上記構成により、多孔質部材２０の、水受けカップ１１の内部底面３４への密着範囲をさらに減少することができるため、水垢汚れの発生を抑制でき、メンテナンス頻度を減少できる。
【００７０】
また、多孔質部材２０は、吸音材（例えば、ウレタンなど）であることが好ましい。
【００７１】
上記構成により、吹き出し気流５による乱流騒音を低減することができる。
【００７２】
また、多孔質部材２０は、吸水材（例えば、高吸水性樹脂など）であることが好ましい。
【００７３】
上記構成により、水滴１８の吸水性を向上することができる。
【産業上の利用可能性】
【００７４】
本発明は、水受け部内に配置された多孔質部材の乾燥性を向上させること等を可能とするものであるため、手乾燥装置への利用以外にも、水受け部を有する様々な機器等への利用可能性が考えられる。
【符号の説明】
【００７５】
１  壁面
２  手乾燥室
３  電動送風機
４  ノズル
５  吹き出し気流
６  手
７  手の挿入方向
８  本体ケース
１０  水受け部
１１  水受けカップ
１２  水受けカップカバー
１３  排水穴
１４  滴下位置
１５  水受けカップ引き出し方向
１６  排水路
１７  センサ
１８  水滴
２０  多孔質部材
２１  第１凸部
２１ａ  前面から第１凸部までの距離
２１ｂ  背面から第１凸部までの距離
２２  第２凸部
２３  凹部
３０  前面
３１  背面
３２  側面
３３  周縁
３４  内部底面
３５  外部底面
１０１  壁面
１０２  手乾燥室
１０３  電動送風機
１０４  ノズル
１０６  吹き出し気流
１０７  多孔質部材
１０８  手
１０９  水滴
１１０  水受け部
１１１  水受けカップ
【図１】
2016150195.tif 000003
【図２】
2016150195.tif 000004
【図３】
2016150195.tif 000005
【図４】
2016150195.tif 000006
【図５】
2016150195.tif 000007
【図６】
2016150195.tif 000008
【図７】
2016150195.tif 000009
【図８】
2016150195.tif 000010
【図９】
2016150195.tif 000011